(57)【要約】      （修正有）【課題】電子機器の内部のデータが無くなることを防止できる電気コネクタを提供する。【解決手段】複数のコンタクト３０と、該コンタクトを収容するハウジング１０とで構成されて、各コンタクトは、端子部と、この端子部に連接されてハウジングに保持される保持部３０１と、接触部３０７と、保持部３０１と接触部３０７との間を連接する弾性変形可能な湾曲部とを含む。ハウジング１０は下部が開放され、内部にコンタクトを収容するための収容室１００が形成され、前面に収容室に連通する開口部が設けられ、コンタクトの接触部が前面開口部から外に露出される。さらに、コンタクトの接触部３０７には、接続対象に接触する接触点が設けられ、複数のコンタクトは、信号伝送用コンタクトを少なくとも含み、信号伝送用コンタクトの接触点がハウジングの前面から露出される距離は、他のコンタクトの接触点がハウジングの前面から露出される距離より短くなるよう構成する。【選択図】図２
0003156497.tif 000002
【実用新案登録請求の範囲】
【請求項１】
複数のコンタクトと、該コンタクトを収容するハウジングとで構成されて、
前記各コンタクトは、端子部と、この端子部に連接されて前記ハウジングに保持される保持部と、接触部と、前記保持部と前記接触部との間を連接する弾性変形可能な湾曲部とを含み、前記湾曲部は前記保持部との連接側を第一湾曲部とし、前記接触部との連接側を第二湾曲部としたＳ字形状に形成され、前記第二湾曲部の先に設けられた前記接触部の先の自由端側には前記第二湾曲部の方向に向けて屈曲部が設けられ、前記屈曲部の先端の幅方向の両側には引っ掛け部が設けられ、
前記ハウジングは、下部が開放され、内部に前記コンタクトを収容するための収容室が形成され、前面に前記収容室に連通する開口部が設けられ、
前記コンタクトは、前記保持部から第二湾曲部までの間の部分が前記収容室に収容され、前記接触部が前記前面開口部から外に露出され、前記接触部が更に前に出ないように前記引っ掛け部が前記前面開口部の幅方向の両側で前記前面の裏面側に位置している構造の電気コネクタであって、
前記コンタクトの接触部には、接続対象に接触する接触点が設けられ、
前記複数のコンタクトは、信号伝送用コンタクトを少なくとも含み、前記信号伝送用コンタクトの接触点が前記ハウジングの前面から露出される距離は、他のコンタクトの接触点が前記ハウジングの前面から露出される距離より短くなることを特徴とする電気コネクタ。
【請求項２】
前記ハウジングには、前記開口部に突出するための変位規制用突起が対向するように設けられ、前記接触部の屈曲部に隣接する箇所には前記ハウジングの変位規制用突起に当接可能な翼部が形成されることを特徴とする請求項１に記載の電気コネクタ。
【請求項３】
前記ハウジングには、前記前面を貫通する取付溝が形成され、該電気コネクタが前記取付溝に保持される補強部材を含み、前記補強部材のテール部と前記コンタクトの端子部とは面一になっていることを特徴とする請求項２に記載の電気コネクタ。
【考案の詳細な説明】
【技術分野】
【０００１】
本考案は、デジタルカメラや携帯電話などの電子機器に取付られ、バッテリーパックのような相手側電気機器との接続用に用いられる電気コネクタに関するものである。
【背景技術】
【０００２】
従来技術の電気コネクタの一例として、特許文献１に開示された電気コネクタが知られている。この電気コネクタは、導電材料よりなるコンタクトと、このコンタクトを収容し保持する絶縁材料よりなるハウジングとで構成されていて、デジタルカメラや携帯電話などのプリント配線基板に取付けられるようになっている。コンタクトは、プリント配線基板の導電路に接続される端子部と、この端子部に直交する向きで連接されていてハウジングに保持される保持部と、バッテリーパックの電極部の押圧でこの電極部に接触する接触部と、保持部と接触部の間を連接する弾性変形可能な弾性変形部とを備えている。この弾性変形部は、保持部との連接側を第一湾曲部とし、接触部との連接側を第二湾曲部とする略Ｓ字状に形成されている。
【０００３】
ハウジングは、下部が開口部、内部にコンタクト収容室、前面が前面開口部となって、前面開口部はハウジングの下部から上部に向けて設けられる。コンタクトは、端子部がハウジングの下部からハウジングの後方に露出されて、保持部から第二湾曲部までの部分がコンタクト収容室に収容され、接触部が前面開口部に露出されている。バッテリーパックに接続する時に、その電極部がコンタクトの接触部に押圧し接触する。
【先行技術文献】
【特許文献】
【０００４】
【特許文献１】特開２００８-１６６１９８号公報
【考案の概要】
【考案が解決しようとする課題】
【０００５】
コンタクトは、一般に、信号を伝送するための信号用コンタクトと、電源を提供するための電源用コンタクトとを少なくとも含む。従来の信号用コンタクトと電源用コンタクトとは、ハウジングの前面を露出する長さが同じで、バッテリーパックが信号用コンタクト及び電源用コンタクトに同時に接触あるいは分離される。即ち、バッテリーパックを挿入する時に信号用コンタクトと電源用コンタクトがバッテリーパックに同時に接触され、バッテリーパックをイジェクトする時に信号用コンタクトと電源用コンタクトがバッテリーパックに同時に分離される。こうして、電気コネクタとバッテリーパックとの間の電源伝送と信号伝送が同時に行って、特に、バッテリーパックが電気コネクタに分離する際に、電源伝送と信号伝送とが同時に終わって、電源伝送と信号伝送の間に時間差が存在せず、電子機器内のデータが無くなる恐れがあった。そこで、新規な電気コネクタを開発することが必要である。
【０００６】
本考案は、電子機器の内部のデータが無くなることを防止できる電気コネクタを提供することを目的とする。
【課題を解決するための手段】
【０００７】
本考案の電気コネクタは、複数のコンタクトと、該コンタクトを収容するハウジングとで構成されて、前記各コンタクトは、端子部と、この端子部に連接されて前記ハウジングに保持される保持部と、接触部と、前記保持部と前記接触部との間を連接する弾性変形可能な湾曲部とを含み、前記湾曲部は前記保持部との連接側を第一湾曲部とし、前記接触部との連接側を第二湾曲部としたＳ字形状に形成され、前記第二湾曲部の先に設けられた前記接触部の先の自由側には前記第二湾曲部の方向に向けて屈曲部が設けられ、前記屈曲部の先端の幅方向の両側には直交する向きで引っ掛け部が設けられ、前記ハウジングは、下部が開放され、内部に前記コンタクトを収容するための収容室が形成し、前面に前記収容室に連通する開口部が設けられ、前記コンタクトは、前記保持部から第二湾曲部までの間の部分が前記収容室に収容され、前記接触部が前記前面開口部から外に露出され、前記接触部が更に前に出ないように前記引っ掛け部が前記前面開口部の幅方向の両側で前記前面の裏面側に位置している構造の電気コネクタであって、前記コンタクトの接触部は、接続対象に接触する接触点を設けられ、複数のコンタクトは、信号伝送用コンタクトを少なくとも含み、前記信号伝送用コンタクトの接触点が前記ハウジングの前面を露出する距離は、他のコンタクトの接触点が前記ハウジングの前面を露出する距離より短くなることを特徴とする。
【考案の効果】
【０００８】
従来技術に比べ、本考案の電気コネクタは以下の利点を有し、信号伝送用端子の接触点が他のコンタクトの接触点よりハウジングの前面を露出する距離が短くなるので、信号伝送に有利になって、特に、バッテリーパックが電気コネクタに分離する時に、信号伝送用コンタクトが他のコンタクトよりバッテリーパックと先に分離することにより電子機械の内部のデータが無くなることを防止できる。
【図面の簡単な説明】
【０００９】
【図１】本考案に係る電気コネクタの組立斜視図である。
【図２】本考案に係る電気コネクタの分解斜視図である。
【図３】図１に示す電気コネクタの平面図である。
【図４】図１に示す電気コネクタのＡ−Ａ線に沿う断面図である。
【考案を実施するための形態】
【００１０】
以下、図１〜図４を参照すると、本考案の電気コネクタの実施形態について、添付図面を参照して説明する。
【００１１】
電気コネクタは、バッテリーパック（図示せず）とプリント配線基板（図示せず）を接続することを行い、ハウジング１０と、ハウジング１０に収容されるコンタクト３０と、ハウジング１０に組付けられた補強部材５０とを含む。
【００１２】
図１と図２を参照すると、ハウジング１０は、バッテリーパックに対向する前面１０１と、プリント配線基板に対向する底面１０３と、接触面１０１と底面１０３を連接する両側面１０５と、底面１０３に対向する頂面１０７とを含む。ハウジング１０にはコンタクト３０を収容するための収容室１００が設けられ、各収容室１００が前面１０１、底面１０３、前面１０１に対向する後面（参照記号なし）を貫通するように形成される。前面１０１には、開口部１０１１に突出する変位規制用突起１００１が対向するように設けられる。収容室１００の前面１０１に向く幅は開口部１０１１の幅より広い。
【００１３】
コンタクト３０は、導電材料よりなって、プリント配線基板の導電線路に接続する端子部３００と、この端子部３００に直交する向きで連接されてハウジング１０の収容室１００に保持された保持部３０１と、バッテリーパックの電極部の押圧でこの電極部に接触する接触部３０７と、保持部３０１と接触部３０７との間を連接する弾性変形可能な湾曲部とを含む。湾曲部は、保持部３０１との連接側を第一湾曲部３０３とし、接触部３０７との連接側を第二湾曲部３０５とした略Ｓ字形状に形成されている。接触部３０７の先の自由端側には、第二湾曲部３０５の方向に向けて屈曲部３０８が設けられ、屈曲部３０８の先端の幅方向の両側には、直交する向きで引っ掛け部３０９が突設されている。
【００１４】
前記接触部３０７は、Ｖ字形状を呈して、第二湾曲部３０５に連接する第一アーム部３０７５と、屈曲部３０８に連接する第二アーム部３０７７と、前記第一アーム部３０７５と第二アーム部３０７７との交差した箇所とする接触点Ｐと、を含む。前記第一アーム部３０７５には直交する向きで翼部３０７３が屈曲するように突設されている。
【００１５】
本実施状態において、コンタクト３０が、三本備えられ、中央を信号伝送用コンタクトとして、両端を接地用コンタクト及び電源用コンタクトとする。三本のコンタクト３０の構造が同じで、図３を参照すると、異なるのは、中央での信号伝送用コンタクトの接触点Ｐからハウジング１０の前面101の距離ｄ１は、両端での接地用コンタクト及び電源用コンタクトとの接触点Ｐ`からハウジング１０の前面１０１までの距離ｄ２より短くなることである。これによって、バッテリーパックと接続する時に、接地用コンタクトと電源用コンタクトに先に接触してから、信号伝送用コンタクトに接触し、対応して、バッテリーパックと分離する時に、信号伝送用コンタクトを先に分離してから接地用コンタクトと電源用コンタクトを分離している。
【００１６】
補強部材５０は、金属板よりなって、本体部５０１と、本体部５０１の一端側から上向きに延出し本体部５０１の長手方向と直交する固持部５０５と、本体部５０１の他端側から延出するテール部５０３と、を含む。ハウジング１０の各収容室１００の間の隔離壁には、前面１０１を貫通する取付溝１０９が形成され、該補強部材５０が取付溝１０９に装着され、保持されている。
【００１７】
組付けた時に、コンタクト３０の保持部３０１と、第一湾曲部３０３、第二湾曲部３０５がハウジング１０の収容室１００に収容され、端子部３００がハウジング１０の後面を延出してプリント配線基板に接続している。接触部３０７が前面開口部１０１１から外に露出して、引っ掛け部３０９がハウジング１０の前面１０１の開口部１０１１の幅方向の両側の裏面側に位置するので接触部３０７がさらに前に出ないように抜け止めされている。補強部材５のテール部５０３とコンタクト３０の端子部３００とが面一になっている。
【００１８】
正確な使用時に、バッテリーパックがハウジング１０の前面１０１に垂直な方向に沿って挿入される時に、電源用コンタクトと接地用コンタクトの接触部が信号伝送用コンタクトの接触部よりハウジングの前面をさらに突出するので、バッテリーパックが電源用コンタクトと接地用コンタクトの接触部に接触してコンタクト３０を収容室１００に向けて弾性的に変形させて、ハウジング１０の前面１０１に向けて所定の距離を移動してから信号伝送用コンタクトの接触部に接触する。
【００１９】
バッテリーパックがハウジング１０の前面１０１に沿って挿入される時に、コンタクト３０の接触部３０７がプリント配線基板へ押されたとき、コンタクト３０の翼部３０７３がハウジング１０の変位規制用突起１００１に当接して、接触部３０７が異常に圧縮されることを阻止できる。
【００２０】
本考案の電気コネクタの信号伝送用端子の接触点Ｐは、他のコンタクトの接触点Ｐ`よりハウジング１０の前面１０１を露出する距離が短いので、信号伝送が有利になって、特に、バッテリーパックが電気コネクタと分離する時に、信号伝送用コンタクトの接触点Ｐが他のコンタクトの接触点Ｐ`よりバッテリーパックと先に分離するので、電子機械の内部のデータが無くなることを防止できる。
【００２１】
以上本考案について最良の実施の形態を参照して詳細に説明したが、実施形態はあくまでも例示的なものであり、これらに限定されない。また上述の説明は、本考案に基づきなしうる細部の修正或は変更など、いずれも本考案の請求範囲に属するものとする。
【符号の説明】
【００２２】
１０  ハウジング
１００  収容室
１０１  前面
１０１１  変位規制用突起
３０  コンタクト
３００  端子部
３０１  保持部
３０３  第一湾曲部
３０５  第二湾曲部
３０７  接触部
３０８  屈曲部
３０９  引っ掛け部
３０７３  翼部
Ｐ、Ｐ`  接触点
５０  補強部材
【図１】
0003156497.tif 000003
【図２】
0003156497.tif 000004
【図３】
0003156497.tif 000005
【図４】
0003156497.tif 000006